(57)【要約】 【課題】この考案はバックライトモジュール装置に関するものである。 【解決手段】主に，バックライ  モジュールのランプと導光板との間に，光のカップリングユニットを設置する．カップリングユニットの受光面又は出光面は少なくとも，一つの表面が非垂直面を採用する．【選択図】図２
0003141247.tif 000002
【実用新案登録請求の範囲】
【請求項１】
バックライトモジュール装置において，主に次の要素から形成される、該装置に配される。
.導光板は、
導光板は出光面，出光面の対応する箇所における反射面，少なくとも一つの入射面などがあり、
．反射板は上述導光板の反射面の外表面に配置され、
.ランプは上述導光板の入射面の外表面に配置され、
.ランプの反射器は大きな面積で，上述のランプを覆い、
導光板の入射面とランプとの間に，光のカップリングユニットが配置される．カップリングユニットの受光面又は出光面は少なくとも，一つの表面が非垂直面を採用するということを特徴とするバックライトモジュール装置．
【請求項２】
請求項１記載のバックライトモジュール装置において，光のカップリング  ユニットの受光面又は出光面のいずれは光行進方向と，非垂直面状態となる．円曲面状を採用すれば，単一凸曲面  や  単一凹曲面  や  単一凹凸曲面  や  複数連続の凸曲面  や  複数連続の凹曲面  や複数連続の凹凸曲面  や  複数連続の間隔の凸曲面  や  複数連続の間隔の凹凸曲面  や  複数連続の等しくない弧度の凸曲面  や  複数連続の等しくない弧度の凹曲面  や  複数連続の等しくない弧度の凹凸曲面  や  複数連続間隔の等しくない弧度の凸曲面  や  複数連続間隔の等しくない弧度の凹曲面  や  局部凸曲面  や  局部凹曲面など変化のいずれの設計を選択することができる．
【請求項３】
請求項１記載のバック  ライト  モジュール  装置において，光のカップリング  ユニットの受光面又は出光面のいずれは光行進方向と，非垂直面状態となる．鋸歯面状を採用すれば，凹鋸歯面  や  凸鋸歯面  や  連続性鋸歯面  や  非対等斜辺長さの凹鋸歯面  や  非対等斜辺長さの凸鋸歯面  や  異なる挟み角度の連続性鋸歯面  や  異なる高さ(深さ)の連続性鋸歯面など変化のいずれの設計を選択することができる．
【請求項４】
請求項１記載のバック  ライト  モジュール  装置において，光のカップリング  ユニットの受光面又は出光面のいずれは光行進方向と，非垂直面状態となる．同時に鋸歯面状と円曲面の組合を採用すれば，単一の凸鋸歯面と凸曲面の組合  や  単一の凸鋸歯面と凹曲面の組合  や  単一の凹鋸歯面と凹曲面の組合  や  複数の凸鋸歯面と凸曲面の組合  や  複数の凸鋸歯面と凹曲面の組合  や  複数の凹鋸歯面と凹曲面の組合など変化のいずれの設計を選択することができる．
【請求項５】
請求項１記載のバック  ライト  モジュール  装置において，光のカップリング  ユニットはランプの反射器により覆われて固定される．
【請求項６】
請求項１記載のバック  ライト  モジュール  装置において，導光板の出光面に，数量が等しくない拡散薄片，集光薄片を配置する．
【請求項７】
請求項１記載のバック  ライト  モジュール  装置において，導光板の反射面に，細密に分布するように，沢山な導光点がある．
【請求項８】
請求項１記載のバック  ライト  モジュール  装置において，導光板の形状は矩形，楔形のいずれを選択できる。
【考案の詳細な説明】
【技術分野】
【０００１】
本考案はバックライトモジュール装置に関するものであり，特に，光源の光が導光板に入るライトフィールドの分布を変更するということを指す．
【背景技術】
【０００２】
図1に示すように，従来から既知のバックライトモジュール１は導光板１１を含む．導光板１１は出光面１１１，反射面１１２，少なくとも一つの入射面１１３がある．反射板１２は導光板１１の反射面１１２の外表面に配置される．複数の光拡散薄片１３は導光板１１の出光面１１１の外表面に配置される．複数の集光薄片１４はさらに，光拡散薄片１３の別面に配置される．光拡散薄片１３及び集光薄片１４を相互に交錯，挿入するように配置してもよい．ランプ１５は導光板１１の入射面１１３の外表面に配置される．また，ランプの反射器１６は大きな面積で，ランプ１５を覆う．
【０００３】
導光板１１の材質はほぼ，光学級アクリル(acrylic)（PMMA）から作られるので，光源の透過射出に役立つ．また，反射面１１２に，多い導光点１１２１を設置する．それら導光点１１２１は光源との距離の遠近に応じて，小から大まで，又は疎から密まで分布するように形成される．
【０００４】
図2に示すように，ランプ１５に電力を供給したあとで，光が出てくる．光は入射面１１３から，導光板１１の内部に入る．導光板１１の中の光を伝送しているうちに，導光板１１の反射面１１２における導光点１１２１に反射されるので，その導きで，出光面１１１を経由して離れて，光が出てくる．
【０００５】
でも，ランプ１５が平行のように，導光板１１の入射面１１３の外に配置されるので，それら光が導光板１１の内部に入るときに，光の入射角の大多数が導光板１１の全反射臨界角より小さいせいで，部分の光が導光板１１の反射面１１２の導光点１１２１を経由して反射できるが，大部分の光が水平のように前進しつづけて，ついに反入射面１１４までのロスが出てきて，光のエネルギーの損耗を招くと言う不都合があった．
【考案の開示】
【考案が解決しようとする課題】
【０００６】
近年以来，液晶ディスプレイ（ＴＦＴ−ＬＣＤ）の応用が益々普及しているので，そのバックライトモジュール１の光源表現は日々に厳しく要求される．前掲の光のロスという不良も次第に重視され，本考案はこれを克服し、それにより，産業のレベルをアップグレードさせようとする考案である．
【課題を解決するための手段】
【０００７】
したがって，本考案の主な目的はバックライトモジュール  装置を提供することにある．特に，光源の光が導光板に入るライトフィールドの分布を変更することにより，光源の光が導光板の反入射面に生じるロスを低降するという現象を生じるのを阻止しようとするものを指す．
【０００８】
そんな目的を達成するために，本考案のバックライトモジュール装置は主に，バックライトモジュールのランプと導光板との間に，光のカップリングユニットを設置する．カップリングユニットは一つの受光面及び一つの出光面を具有する．受光面はランプの相隣箇所に設置される．出光面は導光板の入射面に対応する位置に設置される．それで，ランプの光を伝送して，導光板の中へ送る．光のカップリング  ユニットの受光面，出光面は少なくとも，一つの表面がランプの光の前進方向と，非垂直面の状態となる．つまり，本来，平行前進してあるランプの光が非垂直面状の受光面又は出光面に屈折されたことにより，光の平行前進方向を変更する．光が導光板に入ったあとで，導光板の出光面及び反射面の二つ方向へ前進する．そうすると，光源の光が導光板の反入射面に生じるロスを大幅に低降する．
【０００９】
本考案のもう一つ目的はバック  ライト  モジュール  装置を提供することにある．光のカップリング  ユニットの受光面，出光面は少なくとも，一つの表面がランプの光の前進方向と，非垂直面の状態となる．そんな非垂直面状態の設計変化は円曲面  や  単一凸曲面  や  単一凹曲面  や  単一凹凸曲面  や  複数連続の凸曲面  や  複数連続の凹曲面  や複数連続の凹凸曲面  や  複数連続の間隔の凸曲面  や  複数連続の間隔の凹凸曲面  や  複数連続の等しくない弧度の凸曲面  や  複数連続の等しくない弧度の凹曲面  や  複数連続の等しくない弧度の凹凸曲面  や  複数連続間隔の等しくない弧度の凸曲面  や  複数連続間隔の等しくない弧度の凹曲面  や  局部凸曲面  や  局部凹曲面などを採用してもよい．前掲の円曲面の設計で，光を屈折したあとで，光の行進方向を変更し，光源の光が導光板に入るライト  フィールドの分布を変更する
【００１０】
本考案のもう一つの目的はバック  ライト  モジュール  装置を提供することにある．光のカップリング  ユニットの受光面，出光面は少なくとも，一つの表面がランプの光の前進方向と，非垂直面の状態となる．そんな非垂直面状態の設計変化は鋸歯面状  や  凹鋸歯面  や  凸鋸歯面  や  連続性鋸歯面  や  非対等斜辺長さの凹鋸歯面  や  非対等斜辺長さの凸鋸歯面  や  異なる挟み角度の連続性鋸歯面  や  異なる高さ(深さ)の連続性鋸歯面などを採用してもよい．前掲の鋸歯面の設計で，光を屈折したあとで，光の行進方向を変更し，光源の光が導光板に入るライト  フィールドの分布を変更する．
【００１１】
本考案のもう一つの目的はバック  ライト  モジュール  装置を提供することにある．光のカップリング  ユニットの受光面，出光面は少なくとも，一つの表面がランプの光の前進方向と，非垂直面の状態となる．そんな非垂直面状態の設計変化は同時に，鋸歯面及び円曲面を形成してもよい．そんな形体の変化は単一の凸鋸歯面と凸曲面の組合  や  単一の凸鋸歯面と凹曲面の組合  や  単一の凹鋸歯面と凹曲面の組合  や  複数の凸鋸歯面と凸曲面の組合  や  複数の凸鋸歯面と凹曲面の組合  や  複数の凹鋸歯面と凹曲面の組合  を採用してもよい．上述のように，同時に採用した鋸歯面及び円曲面の設計で，光を屈折したあとで，光の行進方向を変更し，光源の光が導光板に入るライト  フィールドの分布を変更する．
本考案の目的，特徴および効果などをご了解
なさるために，以下，さらに具体的な実施例に図面をあわせて詳しく説明してみよう。
【考案の効果】
【００１２】
そうすると，ランプの光源がそれに屈折されたあとで，光源の光が導光板に入るライトフィールド(light field)の分布を変更するので，光源の光が導光板の反入射面に生じるロスを低降し，光源の利用効率を向上させる．
【実施例】
【００１３】
まずは図３を御覧下さい．それは本考案のバック  ライト  モジュール装置である．そんなバック  ライト  モジュール２は少なくとも，一枚の導光板２１を含む．導光板２１は出光面２１１，出光面２１１の対応位置における反射面２１２，少なくとも一つの入射面２１３，入射面２１３の対応位置における反入射面２１４を具有する．反射面２１２には，細密に分布した沢山な導光点２１２１がある．反射板２２は導光板２１の反射面２１２の外表面に配置される．数量が等しくない拡散薄片２３及び集光薄片２４は導光板２１の出光面２１１の外表面に配置される．ランプ２５は導光板２１の入射面２１３の外表面に配置される．ランプの反射器２６は大きな面積で，ランプ２５を覆う．また，ランプ２５と導光板２１の入射面２１３との間に，光のカップリング  ユニット２７を設置する．
【００１４】
光のカップリング  ユニット２７は光の優れた透過性を持つ材質で作られ，受光面２７１，出光面２７２がある．受光面２７１はランプ２５の位置に隣接する．出光面２７２は導光板２１の入射面２１３に隣接する．また，受光面２７１又は出光面２７２のいずれは少なくとも，一つの表面がランプ２５の光行進方向と，非垂直面状態となる．
【００１５】
図4を御覧下さい．光のカップリング  ユニット２７の受光面２７１又は出光面２７２のいずれは光行進方向と，非垂直面状態となる．円曲面状を採用すれば，図4−１乃至図4−17など変化がある．それらは順序に，  単一凸曲面  や  単一凹曲面  や  単一凹凸曲面  や  複数連続の凸曲面  や  複数連続の凹曲面  や複数連続の凹凸曲面  や  複数連続の間隔の凸曲面  や  複数連続の間隔の凹凸曲面  や  複数連続の等しくない弧度の凸曲面  や  複数連続の等しくない弧度の凹曲面  や  複数連続の等しくない弧度の凹凸曲面  や  複数連続間隔の等しくない弧度の凸曲面  や  複数連続間隔の等しくない弧度の凹曲面  や  局部凸曲面  や  局部凹曲面など例が挙げられる．
【００１６】
光のカップリング  ユニット２７の受光面２７１又は出光面２７２のいずれは光行進方向と，非垂直面状態となる．鋸歯面状を採用すれば，図５−１乃至図５−８など形体変化がある．それらは順序に，凹鋸歯面  や  凸鋸歯面  や  連続性鋸歯面  や  非対等斜辺長さの凹鋸歯面  や  非対等斜辺長さの凸鋸歯面  や  異なる挟み角度の連続性鋸歯面  や  異なる高さ(深さ)の連続性鋸歯面など例が挙げられる．
【００１７】
光のカップリング  ユニット２７の受光面２７１又は出光面２７２のいずれは光行進方向と，非垂直面状態となる．同時に鋸歯面状と円曲面の組合を採用すれば，図６−１乃至図６−８など形体変化がある．それらは順序に，単一の凸鋸歯面と凸曲面の組合  や  単一の凸鋸歯面と凹曲面の組合  や  単一の凹鋸歯面と凹曲面の組合  や  複数の凸鋸歯面と凸曲面の組合  や  複数の凸鋸歯面と凹曲面の組合  や  複数の凹鋸歯面と凹曲面の組合など例が挙げられる．
【００１８】
図7を御覧下さい．光のカップリングユニット２７の受光面２７１が非垂直面状となる場合に（ただ，図４−３の表示を御参照），次の作用がある．ランプ２５の光が受光面２７１に入射したあとで，光が屈折されて，光のカップリング  ユニット２７の内部へ行進し，出光面２７２より離れる．さらに，導光板２１の入射面２１３を経て，導光板２１の内部に入射してある．そのときに，光のカップリング  ユニット２７から離れる光はもう平行の方向のように，導光板２１に入射しなかった．逆に，導光板２１の出光面２１１及び反射面２１２の二つ方向へ向かって前進し，導光板２１の内部に入る．その結果，図８に示すように，導光板２１の入射光のライト  フィールドの分布を変更するので，光源の光が導光板２１の反入射面２１４に生じる局部ロスを大幅に低降し，光源の利用効率を向上させる．
【００１９】
図９を御覧下さい．光のカップリングユニット２７の出光面２７２が非垂直面状となる場合に（ただ，図４−３の表示を御参照），次の作用がある．ランプ２５の光が平行方向に沿って，光のカップリングユニット２７の中で行進してある．どこるが，出光面２７２を経て射出して離れるときに，出光面２７２が非垂直面状となるだから，光は屈折されて，導光板２１の出光面２１１及び反射面２１２の二つ方向へ向かって前進し，導光板２１の内部に入る．それも，導光板２１の入射光のライト  フィールドの分布を変更するので，光源の光が導光板２１の反入射面２１４に生じる局部ロスを大幅に低降し，光源の利用効率を向上させる．
【００２０】
本考案を応用する場合に，図10に示すようになる．光のカップリングユニット２７はランプ２５と導光板２１との間に設置される．ランプの反射器２６は同時に，ランプ２５，光のカップリングユニット２７，導光板２１の三者を一緒に取り付けて，応用の実施目的を遂げる．導光板２１は矩形の形体を採用する以外，図11のような楔形を採用することもできる．
【００２１】
要するに，本考案は導光板２１の本来設計を変更しなくても，導光板２１に入る光源の入射光のライト  フィールドの分布を変更することができ，光源の光を導光板２１の出光面２１１及び反射面２１２の二つの方向へ向かうように前進させるので，光源の光が導光板２１の反入射面２１４に生じるロスを低降し，光源の利用効率を向上させる．
【図面の簡単な説明】
【００２２】
【図１】従来から，既知のバック  ライト  モジュールの分解説明図である．
【図２】図１の光源の光の行進説明図である．
【図３】本考案の分解説明図である．
【図４−１】本考案により，光のカップユニットの受光面又は出光面のいずれ表面は円曲面の非垂直面状態を形成する場合に，その変化の説明図を示す．
【図４−２】本考案により，光のカップユニットの受光面又は出光面のいずれ表面は円曲面の非垂直面状態を形成する場合に，その変化の説明図を示す．
【図４−３】本考案により，光のカップユニットの受光面又は出光面のいずれ表面は円曲面の非垂直面状態を形成する場合に，その変化の説明図を示す．
【図４−４】本考案により，光のカップユニットの受光面又は出光面のいずれ表面は円曲面の非垂直面状態を形成する場合に，その変化の説明図を示す．
【図４−５】本考案により，光のカップユニットの受光面又は出光面のいずれ表面は円曲面の非垂直面状態を形成する場合に，その変化の説明図を示す．
【図４−６】本考案により，光のカップユニットの受光面又は出光面のいずれ表面は円曲面の非垂直面状態を形成する場合に，その変化の説明図を示す．
【図４−７】本考案により，光のカップユニットの受光面又は出光面のいずれ表面は円曲面の非垂直面状態を形成する場合に，その変化の説明図を示す．
【図４−８】本考案により，光のカップユニットの受光面又は出光面のいずれ表面は円曲面の非垂直面状態を形成する場合に，その変化の説明図を示す．
【図４−９】本考案により，光のカップユニットの受光面又は出光面のいずれ表面は円曲面の非垂直面状態を形成する場合に，その変化の説明図を示す．
【図４−１０】本考案により，光のカップユニットの受光面又は出光面のいずれ表面は円曲面の非垂直面状態を形成する場合に，その変化の説明図を示す．
【図４−１１】本考案により，光のカップユニットの受光面又は出光面のいずれ表面は円曲面の非垂直面状態を形成する場合に，その変化の説明図を示す．
【図４−１２】本考案により，光のカップユニットの受光面又は出光面のいずれ表面は円曲面の非垂直面状態を形成する場合に，その変化の説明図を示す．
【図４−１３】本考案により，光のカップユニットの受光面又は出光面のいずれ表面は円曲面の非垂直面状態を形成する場合に，その変化の説明図を示す．
【図４−１４】本考案により，光のカップユニットの受光面又は出光面のいずれ表面は円曲面の非垂直面状態を形成する場合に，その変化の説明図を示す．
【図４−１５】本考案により，光のカップユニットの受光面又は出光面のいずれ表面は円曲面の非垂直面状態を形成する場合に，その変化の説明図を示す．
【図４−１６】本考案により，光のカップユニットの受光面又は出光面のいずれ表面は円曲面の非垂直面状態を形成する場合に，その変化の説明図を示す．
【図４−１７】本考案により，光のカップユニットの受光面又は出光面のいずれ表面は円曲面の非垂直面状態を形成する場合に，その変化の説明図を示す．
【図５−１】本考案により，光のカップユニットの受光面又は出光面のいずれ表面は鋸歯面の非垂直面状態を形成する場合に，その変化の説明図を示す．
【図５−２】本考案により，光のカップユニットの受光面又は出光面のいずれ表面は鋸歯面の非垂直面状態を形成する場合に，その変化の説明図を示す．
【図５−３】本考案により，光のカップユニットの受光面又は出光面のいずれ表面は鋸歯面の非垂直面状態を形成する場合に，その変化の説明図を示す．
【図５−４】本考案により，光のカップユニットの受光面又は出光面のいずれ表面は鋸歯面の非垂直面状態を形成する場合に，その変化の説明図を示す．
【図５−５】本考案により，光のカップユニットの受光面又は出光面のいずれ表面は鋸歯面の非垂直面状態を形成する場合に，その変化の説明図を示す．
【図５−６】本考案により，光のカップユニットの受光面又は出光面のいずれ表面は鋸歯面の非垂直面状態を形成する場合に，その変化の説明図を示す．
【図５−７】本考案により，光のカップユニットの受光面又は出光面のいずれ表面は鋸歯面の非垂直面状態を形成する場合に，その変化の説明図を示す．
【図５−８】本考案により，光のカップユニットの受光面又は出光面のいずれ表面は鋸歯面の非垂直面状態を形成する場合に，その変化の説明図を示す．
【図６−１】本考案により，光のカップユニットの受光面又は出光面のいずれ表面は同時に円曲面と鋸歯面の非垂直面状態を形成する場合に，その変化の説明図を示す．
【図６−２】本考案により，光のカップユニットの受光面又は出光面のいずれ表面は同時に円曲面と鋸歯面の非垂直面状態を形成する場合に，その変化の説明図を示す．
【図６−３】本考案により，光のカップユニットの受光面又は出光面のいずれ表面は同時に円曲面と鋸歯面の非垂直面状態を形成する場合に，その変化の説明図を示す．
【図６−４】本考案により，光のカップユニットの受光面又は出光面のいずれ表面は同時に円曲面と鋸歯面の非垂直面状態を形成する場合に，その変化の説明図を示す．
【図６−５】本考案により，光のカップユニットの受光面又は出光面のいずれ表面は同時に円曲面と鋸歯面の非垂直面状態を形成する場合に，その変化の説明図を示す．
【図６−６】本考案により，光のカップユニットの受光面又は出光面のいずれ表面は同時に円曲面と鋸歯面の非垂直面状態を形成する場合に，その変化の説明図を示す．
【図６−７】本考案により，光のカップユニットの受光面又は出光面のいずれ表面は同時に円曲面と鋸歯面の非垂直面状態を形成する場合に，その変化の説明図を示す．
【図６−８】本考案により，光のカップユニットの受光面又は出光面のいずれ表面は同時に円曲面と鋸歯面の非垂直面状態を形成する場合に，その変化の説明図を示す．
【図７】本考案により，光のカップリング  ユニットの受光面が非垂直面状態となるときに，光源の光の行進の説明図を示す．
【図８】本考案により，導光板の入射光のライト  フィールドの分布説明図である．
【図９】本考案により，光のカップリング  ユニットの出光面が非垂直面状態となるときに，光源の光の行進の説明図を示す．
【図１０】本考案により，光のカップリング  ユニットの組立説明図である．
【図１１】本考案により，導光板のもう一つの実施例である．
【符号の説明】
【００２３】
１        バックライドモジュール  
１１      導光板
１１１    出光面        
１１２    反射面
１１３    入射面        
１２      反射板
１３      拡散薄片      
１４      集光薄片
１５      ランプ        
１６      ランプの反射器
１１２１  導光点
２        バックライトモジュール
２１      導光板        
２１１    出光面
２１２    反射面        
２１３    入射面
２１４    反入射面      
２１２１  導光点
２３      拡散薄片      
２４      集光薄片
２５      ランプ        
２６      ランプの反射器
２７      光のカップリングユニット
２７１    受光面        
２７２    出光面
【図１】
0003141247.tif 000003
【図２】
0003141247.tif 000004
【図３】
0003141247.tif 000005
【図４−１】
0003141247.tif 000006
【図４−２】
0003141247.tif 000007
【図４−３】
0003141247.tif 000008
【図４−４】
0003141247.tif 000009
【図４−５】
0003141247.tif 000010
【図４−６】
0003141247.tif 000011
【図４−７】
0003141247.tif 000012
【図４−８】
0003141247.tif 000013
【図４−９】
0003141247.tif 000014
【図４−１０】
0003141247.tif 000015
【図４−１１】
0003141247.tif 000016
【図４−１２】
0003141247.tif 000017
【図４−１３】
0003141247.tif 000018
【図４−１４】
0003141247.tif 000019
【図４−１５】
0003141247.tif 000020
【図４−１６】
0003141247.tif 000021
【図４−１７】
0003141247.tif 000022
【図５−１】
0003141247.tif 000023
【図５−２】
0003141247.tif 000024
【図５−３】
0003141247.tif 000025
【図５−４】
0003141247.tif 000026
【図５−５】
0003141247.tif 000027
【図５−６】
0003141247.tif 000028
【図５−７】
0003141247.tif 000029
【図５−８】
0003141247.tif 000030
【図６−１】
0003141247.tif 000031
【図６−２】
0003141247.tif 000032
【図６−３】
0003141247.tif 000033
【図６−４】
0003141247.tif 000034
【図６−５】
0003141247.tif 000035
【図６−６】
0003141247.tif 000036
【図６−７】
0003141247.tif 000037
【図６−８】
0003141247.tif 000038
【図７】
0003141247.tif 000039
【図８】
0003141247.tif 000040
【図９】
0003141247.tif 000041
【図１０】
0003141247.tif 000042
【図１１】
0003141247.tif 000043
【手続補正書】
【提出日】平成20年2月26日(2008.2.26)
【手続補正１】
【補正対象書類名】実用新案登録請求の範囲
【補正対象項目名】全文
【補正方法】変更
【補正の内容】
【実用新案登録請求の範囲】
【請求項１】
バックライトモジュール装置において、主に、出光面、出光面の対応する箇所における反射面、少なくとも一つの入射面などがある導光板と、前記導光板の反射面の外表面に配置される反射板と、前記導光板の入射面の外表面に配置されるランプと、前記導光板の入射面とランプとの間に配置される光のカップリングユニットと、からなり、前記カップリングユニットの受光面又は出光面は少なくとも一つの表面が非垂直面を採用することを特徴とするバックライトモジュール装置。
【請求項２】
前記光のカップリングユニットの受光面又は出光面のいずれは光行進方向と、非垂直面状態となり、円曲面状を採用すれば、単一凸曲面や単一凹曲面や単一凹凸曲面や複数連続の凸曲面や複数連続の凹曲面や複数連続の凹凸曲面や複数連続の間隔の凸曲面や複数連続の間隔の凹凸曲面や複数連続の等しくない弧度の凸曲面や複数連続の等しくない弧度の凹曲面や複数連続の等しくない弧度の凹凸曲面や複数連続間隔の等しくない弧度の凸曲面や複数連続間隔の等しくない弧度の凹曲面や局部凸曲面や局部凹曲面など変化のいずれの設計を選択することができることを特徴とする請求項１に記載のバックライトモジュール装置。
【請求項３】
前記光のカップリングユニットの受光面又は出光面のいずれは光行進方向と、非垂直面状態となり、鋸歯面状を採用すれば、凹鋸歯面や凸鋸歯面や連続性鋸歯面や非対等斜辺長さの凹鋸歯面や非対等斜辺長さの凸鋸歯面や異なる挟み角度の連続性鋸歯面や異なる高さ(深さ)の連続性鋸歯面など変化のいずれの設計を選択することができることを特徴とする請求項１に記載のバックライトモジュール装置。
【請求項４】
前記光のカップリングユニットの受光面又は出光面のいずれは光行進方向と、非垂直面状態となり、同時に鋸歯面状と円曲面の組合を採用すれば、単一の凸鋸歯面と凸曲面の組合や単一の凸鋸歯面と凹曲面の組合や単一の凹鋸歯面と凹曲面の組合や複数の凸鋸歯面と凸曲面の組合や複数の凸鋸歯面と凹曲面の組合や複数の凹鋸歯面と凹曲面の組合など変化のいずれの設計を選択することができることを特徴とする請求項１に記載のバックライトモジュール装置。
【請求項５】
前記光のカップリングユニットはランプの反射器により覆われて固定されることを特徴とする請求項１に記載のバックライトモジュール装置。
【請求項６】
前記導光板の出光面に、数量が等しくない拡散薄片、集光薄片を配置することを特徴とする請求項１に記載のバックライトモジュール装置。
【請求項７】
前記導光板の反射面に、細密に分布するように、沢山な導光点があることを特徴とする請求項１に記載のバックライトモジュール装置。
【請求項８】
前記導光板の形状は矩形、楔形のいずれを選択してもよいことを特徴とする請求項１に記載のバックライトモジュール装置。
【手続補正２】
【補正対象書類名】明細書
【補正対象項目名】全文
【補正方法】変更
【補正の内容】
【考案の詳細な説明】
【技術分野】
【０００１】本考案はバックライトモジュール装置に関するものであり、特に、光源の光が導光板に入るライトフィールドの分布を変更するということを指す。
【背景技術】
【０００２】図1に示すように、従来から既知のバックライトモジュール１は導光板１１を含む。導光板１１は出光面１１１、反射面１１２、少なくとも一つの入射面１１３がある。反射板１２は導光板１１の反射面１１２の外表面に配置される。複数の光拡散薄片１３は導光板１１の出光面１１１の外表面に配置される。複数の集光薄片１４はさらに、光拡散薄片１３の別面に配置される。光拡散薄片１３及び集光薄片１４を相互に交錯、挿入するように配置してもよい。ランプ１５は導光板１１の入射面１１３の外表面に配置される。また、ランプの反射器１６は大きな面積で、ランプ１５を覆う。【０００３】導光板１１の材質はほぼ、光学級アクリル(acrylic)（PMMA）から作られるので、光源の透過射出に役立つ。また、反射面１１２に、多い導光点１１２１を設置する。それら導光点１１２１は光源との距離の遠近に応じて、小から大まで、又は疎から密まで分布するように形成される。【０００４】図2に示すように、ランプ１５に電力を供給したあとで、光が出てくる。光は入射面１１３から、導光板１１の内部に入る。導光板１１の中の光を伝送しているうちに、導光板１１の反射面１１２における導光点１１２１に反射されるので、その導きで、出光面１１１を経由して離れて、光が出てくる。【０００５】でも、ランプ１５が平行のように、導光板１１の入射面１１３の外に配置されるので、それら光が導光板１１の内部に入るときに、光の入射角の大多数が導光板１１の全反射臨界角より小さいせいで、部分の光が導光板１１の反射面１１２の導光点１１２１を経由して反射できるが、大部分の光が水平のように前進しつづけて、ついに反入射面１１４までのロスが出てきて、光のエネルギーの損耗を招く。
【考案の開示】
【考案が解決しようとする課題】
【０００６】近年以来、液晶ディスプレイ（ＴＦＴ−ＬＣＤ）の応用が益々普及しているので、そのバックライトモジュール１の光源表現は日々に厳しく要求される。前掲の光のロスという不良も次第に重視され、克服しなければならない。それにより、産業のレベルをアップグレードさせる。
【課題を解決するための手段】
【０００７】したがって、本考案の主な目的はバックライトモジュール装置を提供することにある。特に、光源の光が導光板に入るライトフィールドの分布を変更することにより、光源の光が導光板の反入射面に生じるロスを低降するというものを指す。【０００８】そんな目的を達成するために、本考案のバックライトモジュール装置は主に、バックライトモジュールのランプと導光板との間に、光のカップリングユニットを設置する。カップリングユニットは一つの受光面及び一つの出光面を具有する。受光面はランプの相隣箇所に設置される。出光面は導光板の入射面に対応する位置に設置される。それで、ランプの光を伝送して、導光板の中へ送る。光のカップリングユニットの受光面、出光面は少なくとも、一つの表面がランプの光の前進方向と、非垂直面の状態となる。つまり、本来、平行前進してあるランプの光が非垂直面状の受光面又は出光面に屈折されたことにより、光の平行前進方向を変更する。光が導光板に入ったあとで、導光板の出光面及び反射面の二つ方向へ前進する。そうすると、光源の光が導光板の反入射面に生じるロスを大幅に低降する。【０００９】本考案のもう一つ目的はバックライトモジュール装置を提供することにある。光のカップリングユニットの受光面、出光面は少なくとも、一つの表面がランプの光の前進方向と、非垂直面の状態となる。そんな非垂直面状態の設計変化は円曲面や単一凸曲面や単一凹曲面や単一凹凸曲面や複数連続の凸曲面や複数連続の凹曲面や複数連続の凹凸曲面や複数連続の間隔の凸曲面や複数連続の間隔の凹凸曲面や複数連続の等しくない弧度の凸曲面や複数連続の等しくない弧度の凹曲面や複数連続の等しくない弧度の凹凸曲面や複数連続間隔の等しくない弧度の凸曲面や複数連続間隔の等しくない弧度の凹曲面や局部凸曲面や局部凹曲面などを採用してもよい。前掲の円曲面の設計で、光を屈折したあとで、光の行進方向を変更し、光源の光が導光板に入るライトフィールドの分布を変更する。【００１０】本考案のもう一つの目的はバックライトモジュール装置を提供することにある。光のカップリングユニットの受光面、出光面は少なくとも、一つの表面がランプの光の前進方向と、非垂直面の状態となる。そんな非垂直面状態の設計変化は鋸歯面状や凹鋸歯面や凸鋸歯面や連続性鋸歯面や非対等斜辺長さの凹鋸歯面や非対等斜辺長さの凸鋸歯面や異なる挟み角度の連続性鋸歯面や異なる高さ(深さ)の連続性鋸歯面などを採用してもよい。前掲の鋸歯面の設計で、光を屈折したあとで、光の行進方向を変更し、光源の光が導光板に入るライトフィールドの分布を変更する。【００１１】本考案のもう一つの目的はバックライトモジュール装置を提供することにある。光のカップリングユニットの受光面、出光面は少なくとも、一つの表面がランプの光の前進方向と、非垂直面の状態となる。そんな非垂直面状態の設計変化は同時に、鋸歯面及び円曲面を形成してもよい。そんな形体の変化は単一の凸鋸歯面と凸曲面の組合や単一の凸鋸歯面と凹曲面の組合や単一の凹鋸歯面と凹曲面の組合や複数の凸鋸歯面と凸曲面の組合や複数の凸鋸歯面と凹曲面の組合や複数の凹鋸歯面と凹曲面の組合を採用してもよい。前記のように、同時に採用した鋸歯面及び���曲面の設計で、光を屈折したあとで、光の行進方向を変更し、光源の光が導光板に入るライトフィールドの分布を変更する。本考案の目的、特徴および効果などをご了解 なさるために、以下、さらに具体的な実施例に図面をあわせて詳しく説明してみよう。
【考案の効果】
【００１２】そうすると、ランプの光源がそれに屈折されたあとで、光源の光が導光板に入るライトフィールド(light field)の分布を変更するので、光源の光が導光板の反入射面に生じるロスを低降し、光源の利用効率を向上させる。
【実施例】
【００１３】まずは図３を御覧下さい。それは本考案のバックライトモジュール装置である。そんなバックライトモジュール２は少なくとも、一枚の導光板２１を含む。導光板２１は出光面２１１、出光面２１１の対応位置における反射面２１２、少なくとも一つの入射面２１３、入射面２１３の対応位置における反入射面２１４を具有する。反射面２１２には、細密に分布した沢山な導光点２１２１がある。反射板２２は導光板２１の反射面２１２の外表面に配置される。数量が等しくない拡散薄片２３及び集光薄片２４は導光板２１の出光面２１１の外表面に配置される。ランプ２５は導光板２１の入射面２１３の外表面に配置される。ランプの反射器２６は大きな面積で、ランプ２５を覆う。また、ランプ２５と導光板２１の入射面２１３との間に、光のカップリングユニット２７を設置する。【００１４】光のカップリングユニット２７は光の優れた透過性を持つ材質で作られ、受光面２７１、出光面２７２がある。受光面２７１はランプ２５の位置に隣接する。出光面２７２は導光板２１の入射面２１３に隣接する。また、受光面２７１又は出光面２７２のいずれは少なくとも、一つの表面がランプ２５の光行進方向と、非垂直面状態となる。【００１５】図4を御覧下さい。光のカップリング  ユニット２７の受光面２７１又は出光面２７２のいずれは光行進方向と、非垂直面状態となる。円曲面状を採用すれば、図4−１乃至図4−17など変化がある。それらは順序に、  単一凸曲面  や  単一凹曲面  や  単一凹凸曲面  や  複数連続の凸曲面  や  複数連続の凹曲面  や複数連続の凹凸曲面  や  複数連続の間隔の凸曲面  や  複数連続の間隔の凹凸曲面  や  複数連続の等しくない弧度の凸曲面  や  複数連続の等しくない弧度の凹曲面  や  複数連続の等しくない弧度の凹凸曲面  や  複数連続間隔の等しくない弧度の凸曲面  や  複数連続間隔の等しくない弧度の凹曲面  や  局部凸曲面  や  局部凹曲面など例が挙げられる。【００１６】光のカップリングユニット２７の受光面２７１又は出光面２７２のいずれは光行進方向と、非垂直面状態となる。鋸歯面状を採用すれば、図５−１乃至図５−８など形体変化がある。それらは順序に、凹鋸歯面  や  凸鋸歯面  や  連続性鋸歯面  や  非対等斜辺長さの凹鋸歯面  や  非対等斜辺長さの凸鋸歯面  や  異なる挟み角度の連続性鋸歯面  や  異なる高さ(深さ)の連続性鋸歯面など例が挙げられる。【００１７】光のカップリングユニット２７の受光面２７１又は出光面２７２のいずれは光行進方向と、非垂直面状態となる。同時に鋸歯面状と円曲面の組合を採用すれば、図６−１乃至図６−８など形体変化がある。それらは順序に、単一の凸鋸歯面と凸曲面の組合  や  単一の凸鋸歯面と凹曲面の組合  や  単一の凹鋸歯面と凹曲面の組合  や  複数の凸鋸歯面と凸曲面の組合  や  複数の凸鋸歯面と凹曲面の組合  や  複数の凹鋸歯面と凹曲面の組合など例が挙げられる。【００１８】図7を御覧下さい。光のカップリングユニット２７の受光面２７１が非垂直面状となる場合に（ただ、図４−３の表示を御参照）、次の作用がある。ランプ２５の光が受光面２７１に入射したあとで、光が屈折されて、光のカップリング  ユニット２７の内部へ行進し、出光面２７２より離れる。さらに、導光��２１の入射面２１３を経て、導光板２１の内部に入射してある。そのときに、光のカップリング  ユニット２７から離れる光はもう平行の方向のように、導光板２１に入射しなかった。逆に、導光板２１の出光面２１１及び反射面２１２の二つ方向へ向かって前進し、導光板２１の内部に入る。その結果、図８に示すように、導光板２１の入射光のライト  フィールドの分布を変更するので、光源の光が導光板２１の反入射面２１４に生じる局部ロスを大幅に低降し、光源の利用効率を向上させる。【００１９】図９を御覧下さい。光のカップリングユニット２７の出光面２７２が非垂直面状となる場合に（ただ、図４−３の表示を御参照）、次の作用がある。ランプ２５の光が平行方向に沿って、光のカップリングユニット２７の中で行進してある。どこるが、出光面２７２を経て射出して離れるときに、出光面２７２が非垂直面状となるだから、光は屈折されて、導光板２１の出光面２１１及び反射面２１２の二つ方向へ向かって前進し、導光板２１の内部に入る。それも、導光板２１の入射光のライト  フィールドの分布を変更するので、光源の光が導光板２１の反入射面２１４に生じる局部ロスを大幅に低降し、光源の利用効率を向上させる。【００２０】本考案を応用する場合に、図10に示すようになる。光のカップリングユニット２７はランプ２５と導光板２１との間に設置される。ランプの反射器２６は同時に、ランプ２５、光のカップリングユニット２７、導光板２１の三者を一緒に取り付けて、応用の実施目的を遂げる。導光板２１は矩形の形体を採用する以外、図11のような楔形を採用することもできる。【００２１】要するに、本考案は導光板２１の本来設計を変更しなくても、導光板２１に入る光源の入射光のライト  フィールドの分布を変更することができ、光源の光を導光板２１の出光面２１１及び反射面２１２の二つの方向へ向かうように前進させるので、光源の光が導光板２１の反入射面２１４に生じるロスを低降し、光源の利用効率を向上させる。そして、産業の利用性が十分ある以外、マーケットに、今まで見えず、新規性、進歩性もあるので、法律により、特許の請求を提出いたす。貴長が審査なさったあとで、早く認可してください。
【図面の簡単な説明】
【００２２】
【図１】従来から、既知のバックライトモジュールの分解説明図である。
【図２】図１の光源の光の行進説明図である。
【図３】本考案の分解説明図である。
【図４−１】本考案により、光のカップユニットの受光面又は出光面のいずれ表面は円曲面の非垂直面状態を形成する場合に、その変化の説明図を示す。
【図４−２】本考案により、光のカップユニットの受光面又は出光面のいずれ表面は円曲面の非垂直面状態を形成する場合に、その変化の説明図を示す。
【図４−３】本考案により、光のカップユニットの受光面又は出光面のいずれ表面は円曲面の非垂直面状態を形成する場合に、その変化の説明図を示す。
【図４−４】本考案により、光のカップユニットの受光面又は出光面のいずれ表面は円曲面の非垂直面状態を形成する場合に、その変化の説明図を示す。
【図４−５】本考案により、光のカップユニットの受光面又は出光面のいずれ表面は円曲面の非垂直面状態を形成する場合に、その変化の説明図を示す。
【図４−６】本考案により、光のカップユニットの受光面又は出光面のいずれ表面は円曲面の非垂直面状態を形成する場合に、その変化の説明図を示す。
【図４−７】本考案により、光のカップユニットの受光面又は出光面のいずれ表面は円曲面の非垂直面状態を形成する場合に、その変化の説明図を示す。
【図４−８】本考案により、光のカップユニットの受光面又は出光面のいずれ表面は円曲面の非垂直面状態を形成する場合に、その変化の説明図を示す。
【図４−９】本考案により、光のカップユニットの受光面又は出光面のいずれ表面は円曲面の非垂直面状態を形成する場合に、その変化の説明図を示す。
【図４−１０】本考案により、光のカップユニットの受光面又は出光面のいずれ表面は円曲面の非垂直面状態を形成する場合に、その変化の説明図を示す。
【図４−１１】本考案により、光のカップユニットの受光面又は出光面のいずれ表面は円曲面の非垂直面状態を形成する場合に、その変化の説明図を示す。
【図４−１２】本考案により、光のカップユニットの受光面又は出光面のいずれ表面は円曲面の非垂直面状態を形成する場合に、その変化の説明図を示す。
【図４−１３】本考案により、光のカップユニットの受光面又は出光面のいずれ表面は円曲面の非垂直面状態を形成する場合に、その変化の説明図を示す。
【図４−１４】本考案により、光のカップユニットの受光面又は出光面のいずれ表面は円曲面の非垂直面状態を形成する場合に、その変化の説明図を示す。
【図４−１５】本考案により、光のカップユニットの受光面又は出光面のいずれ表面は円曲面の非垂直面状態を形成する場合に、その変化の説明図を示す。
【図４−１６】本考案により、光のカップユニットの受光面又は出光面のいずれ表面は円曲面の非垂直面状態を形成する場合に、その変化の説明図を示す。
【図４−１７】本考案により、光のカップユニットの受光面又は出光面のいずれ表面は円曲面の非垂直面状態を形成する場合に、その変化の説明図を示す。
【図５−１】本考案により、光のカップユニットの受光面又は出光面のいずれ表面は鋸歯面の非垂直面状態を形成する場合に、その変化の説明図を示す。
【図５−２】本考案により、光のカップユニットの受光面又は出光面のいずれ表面は鋸歯面の非垂直面状態を形成する場合に、その変化の説明図を示す。
【図５−３】本考案により、光のカップユニットの受光面又は出光面のいずれ表面は鋸歯面の非垂直面状態を形成する場合に、その変化の説明図を示す。
【図５−４】本考案により、光のカップユニットの受光面又は出光面のいずれ表面は鋸歯面の非垂直面状態を形成する場合に、その変化の説明図を示す。
【図５−５】本考案により、光のカップユニットの受光面又は出光面のいずれ表面は鋸歯面の非垂直面状態を形成する場合に、その変化の説明図を示す。
【図５−６】本考案により、光のカップユニットの受光面又は出光面のいずれ表面は鋸歯面の非垂直面状態を形成する場合に、その変化の説明図を示す。
【図５−７】本考案により、光のカップユニットの受光面又は出光面のいずれ表面は鋸歯面の非垂直面状態を形成する場合に、その変化の説明図を示す。
【図５−８】本考案により、光のカップユニットの受光面又は出光面のいずれ表面は鋸歯面の非垂直面状態を形成する場合に、その変化の説明図を示す。
【図６−１】本考案により、光のカップユニットの受光面又は出光面のいずれ表面は同時に円曲面と鋸歯面の非垂直面状態を形成する場合に、その変化の説明図を示す。
【図６−２】本考案により、光のカップユニットの受光面又は出光面のいずれ表面は同時に円曲面と鋸歯面の非垂直面状態を形成する場合に、その変化の説明図を示す。
【図６−３】本考案により、光のカップユニットの受光面又は出光面のいずれ表面は同時に円曲面と鋸歯面の非垂直面状態を形成する場合に、その変化の説明図を示す。
【図６−４】本考案により、光のカップユニットの受光面又は出光面のいずれ表面は同時に円曲面と鋸歯面の非垂直面状態を形成する場合に、その変化の説明図を示す。
【図６−５】本考案により、光のカップユニットの受光面又は出光面のいずれ表面は同時に円曲面と鋸歯面の非垂直面状態を形成する場合に、その変化の説明図を示す。
【図６−６】本考案により、光のカップユニットの受光面又は出光面のいずれ表面は同時に円曲面と鋸歯面の非垂直面状態を形成する場合に、その変化の説明図を示す。
【図６−７】本考案により、光のカップユニットの受光面又は出光面のいずれ表面は同時に円曲面と鋸歯面の非垂直面状態を形成する場合に、その変化の説明図を示す。
【図６−８】本考案により、光のカップユニットの受光面又は出光面のいずれ表面は同時に円曲面と鋸歯面の非垂直面状態を形成する場合に、その変化の説明図を示す。
【図７】本考案により、光のカップリング  ユニットの受光面が非垂直面状態となるときに、光源の光の行進の説明図を示す。
【図８】本考案により、導光板の入射光のライト  フィールドの分布説明図である。
【図９】本考案により、光のカップリング  ユニットの出光面が非垂直面状態となるときに、光源の光の行進の説明図を示す。
【図１０】本考案により、光のカップリング  ユニットの組立説明図である。
【図１１】本考案により、導光板のもう一つの実施例である。
【符号の説明】
【００２３】１        バックライドモジュール  １１      導光板１１１    出光面        １１２    反射面１１３    入射面        １２      反射板１３      拡散薄片      １４      集光薄片１５      ランプ        １６      ランプの反射器１１２１  導光点２        バックライトモジュール２１      導光板        ２１１    出光面２１２    反射面        ２１３    入射面２１４    反入射面      ２１２１  導光点２３      拡散薄片      ２４      集光薄片２５      ランプ        ２６      ランプの反射器２７      光のカップリングユニット２７１    受光面        ２７２    出光面